(57)【特許請求の範囲】
【請求項１】
空気を循環させる送風ファンが備えられる本体と、
前記本体に回転可能に備えられるロテータと、
前記本体に備えられ、内部に加湿水が貯水されるトレーと、
周りにロテータと係合されるリフタが形成され、前記トレーに回転可能に備えられて前記ロテータの回転力の伝達を受けて回転する加湿ギアモジュールと、を有し、
前記加湿ギアモジュールは、前記ロテータの回転時、前記リフタが前記加湿水を汲み上げ、
前記リフタは前記加湿水に浸水され、
前記加湿ギアモジュールは、
外観を形成し、前記トレーに回転可能に備えられる加湿ギアと、
前記加湿水と離隔して配置され、前記加湿ギアが回転する時、前記リフタから前記加湿水の供給を受ける加湿フィルタと、を有し、
前記ロテータには歯形が突出して形成され、
前記リフタは、前記ロテータに係合される時、前記ロテータの歯形に対応するように前記加湿ギアの周りに沿って複数個が形成される、空気調和機。
【請求項２】
前記トレーの底面から前記加湿フィルタまでの高さは、前記加湿水の最高貯水高さより高いことを特徴とする、請求項１に記載の空気調和機。
【請求項３】
前記トレーは前記本体に脱着され、
前記リフタは、前記トレーが前記本体に付着される時、前記ロテータと係合されることを特徴とする、請求項１に記載の空気調和機。
【請求項４】
前記加湿フィルタは、前記加湿ギアの回転時、前記送風ファンにより前記加湿フィルタを通過する空気を加湿させることを特徴とする、請求項１に記載の空気調和機。
【請求項５】
前記リフタは前記加湿水が汲み上げられるように凹部が形成されることを特徴とする、請求項１に記載の空気調和機。
【請求項６】
前記凹部の一面には汲み上げられた前記加湿水が前記加湿フィルタに供給されるように開口されて形成されたドレーンホールが形成されることを特徴とする、請求項５に記載の空気調和機。
【請求項７】
前記トレーの一側には加湿水を供給する水タンクがさらに備えられることを特徴とする、請求項１に記載の空気調和機。
【請求項８】
空気を循環させる送風ファンが備えられる本体と、
前記本体に回転可能に備えられるロテータと、
前記本体に備えられ、内部に加湿水が貯水されるトレーと、
周りにロテータと係合されるリフタが形成され、前記トレーに回転可能に備えられて前記ロテータの回転力の伝達を受けて回転する加湿ギアモジュールと、を有し、
前記加湿ギアモジュールは、前記ロテータの回転時、前記リフタが前記加湿水を汲み上げ、
前記本体とヒンジ結合部により回動可能に結合され、視覚的な情報を表示するディスプレイ部が備えられる前面パネルをさらに有し、
前記ヒンジ結合部は、
前記本体の一側に形成された開口部と、
前記前面パネルの一側に回動可能に備えられ、前記ディスプレイ部と前記本体を電気的に連結させるケーブルハーネスと、
前記ケーブルハーネスを収容し、前記開口部に挿入された後、前記本体に結合されて、前記本体と前記前面パネルとを回動可能に結合させる結合ブリッジと、を有する、空気調和機。
【請求項９】
前記前面パネルの一側に備えられ、前記送風ファンの回転により吸入された空気を浄化させるフィルタ組立体をさらに有することを特徴とする、請求項８に記載の空気調和機。
【請求項１０】
前記前面パネルの一側には前記ケーブルハーネスが外部に露出しないように前記ケーブルハーネスを遮蔽するハーネスカバーが備えられることを特徴とする、請求項８に記載の空気調和機。
【請求項１１】
前記ハーネスカバーの端部には前記ケーブルハーネスが貫通するように開口されて形成されたハーネスカバー連結ホールが形成され、
前記ケーブルハーネスは、前記ハーネスカバー連結ホールを貫通した後、前記開口部を貫通して前記本体に連結されることを特徴とする、請求項１０に記載の空気調和機。
【請求項１２】
前記前面パネルの一側には、前記結合ブリッジと隣接して形成され、前記ケーブルハーネスを案内するケーブルハーネス案内部が延びて形成されることを特徴とする、請求項８に記載の空気調和機。
【請求項１３】
空気を循環させる送風ファンが備えられる本体と、
前記本体に回転可能に備えられるロテータと、
前記本体に備えられ、内部に加湿水が貯水されるトレーと、
周りにロテータと係合されるリフタが形成され、前記トレーに回転可能に備えられて前記ロテータの回転力の伝達を受けて回転する加湿ギアモジュールと、を有し、
前記加湿ギアモジュールは、前記ロテータの回転時、前記リフタが前記加湿水を汲み上げ、
前記本体は、
リアケースと、
前記リアケースの前方に配置されるフロントケースと、
前記フロントケースの上部に配置される上部デコと、を有し、
前記リアケースには上部に締結部材が貫通するリア締結部が形成され、
前記フロントケースには前記リア締結部と対向する位置に前記締結部材が締結されるフロント締結部が形成され、
前記上部デコには、前記フロント締結部が挿入され、前記締結部材が貫通される貫通孔を有するデコ締結部が形成され、
前記締結部材は、前記リア締結部と前記貫通孔を順次貫通した後、前記フロント締結部に締結される、空気調和機。
【発明の詳細な説明】
【技術分野】
【０００１】
本出願は、２０１０年１２月２３日付で出願された韓国特許出願第１０−２０１０―０１３３７４２号明細書、２０１０年１２月２３日付で出願された韓国特許出願第１０−２０１０―０１３３７４３号明細書、２０１０年１２月２３日付で出願された韓国特許出願第１０−２０１０―０１３３７４４号明細書、及び２０１１年１月１０日付で出願された韓国特許出願第１０−２０１１―０００２３１７号明細書に対し、優先権の利益を主張し、この出願は本明細書に参照として併合される。
【０００２】
本発明は、空気調和機に関し、より詳しくは、空気を清浄させると共に、加湿が可能な空気調和機に関する。
【背景技術】
【０００３】
空気調和機は、快適な室内環境を実現するために室内に取り付けられるか、室内とダクトを通じて連通されて、室内の空気中に含まれていた各種のホコリ、ガス、悪臭、煙などの汚染物を取り除く装置である。
【発明の概要】
【発明が解決しようとする課題】
【０００４】
このような空気調和機は、汚染された空気を浄化するフィルタ組立体を通じて濾過して、汚染物はフィルタに沈着させ、清浄した空気のみをまた送風ファンなどを用いて室内に供給する。また、フィルタ組立体には除湿可能なフィルタが備えられ、除湿可能なフィルタが備えられた空気調和機は、室内の湿度が高い場合に、空気中の水分を除湿可能なフィルタに沈着させて空気中の湿度を下げることができる。
【０００５】
しかしながら、空気中の湿度が低い時には、このような空気調和機を使用したとしても湿度を上げられないので、清浄機能を実行すると共に、加湿機能を実行することができる空気調和機の開発が必要である。
【課題を解決するための手段】
【０００６】
かかる課題を解決するための本発明の一つの実施形態によれば、空気調和機が提供される。かかる空気調和機は、空気を循環させる送風ファンが備えられる本体と、本体に回転可能に備えられるロテータと、本体に備えられ、内部に加湿水が貯水されるトレーと、周りにロテータと係合されるリフタが形成され、トレーに回転可能に備えられてロテータの回転力の伝達を受けて回転する加湿ギアモジュールと、を有し、加湿ギアモジュールは、ロテータの回転時、リフタが加湿水を汲み上げる。
【０００７】
かかる空気調和機において、リフタは加湿水に浸水され、加湿ギアモジュールは、外観を形成し、トレーに回転可能に備えられる加湿ギアと、加湿水と離隔して配置され、加湿ギアが回転する時、リフタから加湿水の供給を受ける加湿フィルタと、を有することが好ましい。
【０００８】
また、かかる空気調和機において、トレーの底面から加湿フィルタまでの高さは、加湿水の最高貯水高さより高いことが好ましい。
【０００９】
さらに、かかる空気調和機において、トレーは本体に脱着され、リフタは、トレーが本体に付着される時、ロテータと係合されることが好ましい。
【００１０】
また、かかる空気調和機において、加湿フィルタは、加湿ギアの回転時、送風ファンにより加湿フィルタを通過する空気を加湿させることが好ましい。
【００１１】
さらに、かかる空気調和機において、ロテータには歯形が突出して形成され、
リフタは、ロテータに係合される時、ロテータの歯形に対応するように加湿ギアの周りに沿って複数個が形成されることが好ましい。
【００１２】
また、かかる空気調和機において、リフタは加湿水が汲み上げられるように凹部が形成されることが好ましい。
【００１３】
さらに、かかる空気調和機において、凹部の一面には汲み上げられた加湿水が加湿フィルタに供給されるように開口されて形成されたドレーンホールが形成されることが好ましい。
【００１４】
また、かかる空気調和機において、トレーの一側には加湿水を供給する水タンクがさらに備えられることが好ましい。
【００１５】
さらに、かかる空気調和機において、本体とヒンジ結合部により回動可能に結合され、視覚的な情報を表示するディスプレイ部が備えられる前面パネルをさらに有することが好ましい。
【００１６】
また、かかる空気調和機において、前面パネルの一側に備えられ、送風ファンの回転により吸入された空気を浄化させるフィルタ組立体をさらに有することが好ましい。
【００１７】
さらに、かかる空気調和機において、ヒンジ結合部は、本体の一側に形成された開口部と、前面パネルの一側に回動可能に備えられ、ディスプレイ部と本体を電気的に連結させるケーブルハーネスと、ケーブルハーネスを収容し、開口部に挿入された後、本体に結合されて、本体と前面パネルとを回動可能に結合させる結合ブリッジと、を有することが好ましい。
【００１８】
また、かかる空気調和機において、前面パネルの一側にはケーブルハーネスが外部に露出しないようにケーブルハーネスを遮蔽するハーネスカバーが備えられることが好ましい。
【００１９】
さらに、かかる空気調和機において、ハーネスカバーの端部にはケーブルハーネスが貫通するように開口されて形成されたハーネスカバー連結ホールが形成され、ケーブルハーネスは、ハーネスカバー連結ホールを貫通した後、開口部を貫通して本体に連結されることが好ましい。
【００２０】
また、かかる空気調和機において、前面パネルの一側には、結合ブリッジと隣接して形成され、ケーブルハーネスを案内するケーブルハーネス案内部が延びて形成されることが好ましい。
【００２１】
さらに、かかる空気調和機において、本体は、リアケースと、リアケースの前方に配置されるフロントケースと、フロントケースの上部に配置される上部デコと、を有することが好ましい。
【００２２】
また、かかる空気調和機において、リアケースには上部に締結部材が貫通するリア締結部が形成され、フロントケースにはリア締結部と対向する位置に締結部材が締結されるフロント締結部が形成され、上部デコには、フロント締結部が挿入され、締結部材が貫通される貫通孔を有するデコ締結部が形成され、締結部材は、リア締結部と貫通孔を順次貫通した後、フロント締結部に締結されることが好ましい。
【００２３】
本発明の他の実施形態によれば、空気調和機が提供される。かかる空気調和機は、空気を循環させる送風ファンが備えられる本体と、本体の一側に回転可能に備えられるロテータと、内部に加湿水が貯水され、本体に備えられるトレーと、トレーに回転可能に備えられ、ロテータの回転力の伝達を受けて回転する加湿ギアと、加湿ギアに備えられ、ロテータと係合され、加湿水に浸水されてロテータの回転時、加湿水を汲み上げるリフタと、加湿ギアの回転時、リフタから加湿水の供給を受ける加湿フィルタと、を有する。
【００２４】
かかる空気調和機において、加湿フィルタは、加湿水と離隔して配置されることが好ましい。
【００２５】
本発明のさらに他の実施形態によれば、空気調和機が提供される。かかる空気調和機は、空気を循環させる送風ファンが備えられる本体と、本体の一側に回転可能に備えられるロテータと、内部に加湿水が貯水され、本体に備えられるトレーと、トレーに回転可能に備えられ、ロテータの回転力の伝達を受けて回転する加湿ギアと、加湿ギアに備えられ、ロテータと係合され、加湿水に浸水されてロテータの回転時、加湿水を汲み上げるリフタと、を有する。
【発明の効果】
【００２６】
本発明の空気調和機によれば、次のような効果が１つあるいはそれ以上ある。
【００２７】
第１に、加湿フィルタが貯水された加湿水と一定高さだけ離隔して配置されることによって、加湿フィルタがトレーの加湿水に浸水されなくなって、加湿フィルタに細菌やかびが繁殖して加湿フィルタを汚染させる問題が解決できる。
【００２８】
第２に、トレーの底面から加湿フィルタまでの高さが加湿水の最高貯水高さより高い位置に配置されることによって、加湿フィルタが加湿水に浸水しなくなる。
【００２９】
第３に、ユーザが加湿を希望しないで、ロテータが回転しない場合には、加湿ギアが停止することによって、リフタが加湿水を汲み上げないようになって、加湿フィルタへの加湿水の供給が中止される。
【００３０】
第４に、加湿のための作動をしない状態で送風ファンが作動すれば、フィルタ組立体を通過して浄化された乾燥した空気が加湿フィルタを通過するようになり、加湿水が残っている加湿フィルタが送風ファンにより循環する乾燥した空気により乾燥できるようになる。
【００３１】
第５に、加湿ギアが分離可能に形成されることによって、内部に収容された加湿フィルタの脱去が可能で、加湿フィルタの汚染や毀損時に新たな加湿フィルタに取替えできるようになる。
【００３２】
第６に、加湿ギアカバーが加湿ギアボディと脱着可能に結合されることによって、加湿ギアカバーを完全に脱去させた後、加湿フィルタを加湿ギアボディから分離させて、加湿フィルタの取替えが可能になる。
【００３３】
第７に、加湿ギアボディの周縁部と加湿ギアカバーの周縁部が結合突起と結合溝の一次的結合を補助して２次的に結合されることによって、加湿ギアカバーと加湿ギアボディとの結合がより強固になる。
【００３４】
第８に、加湿ギアに形成されたドレーンホールにより加湿フィルタが加湿ギアの回転時のみに加湿水の供給を受けることができるようになって、加湿フィルタが加湿水に浸漬される必要がなくなるので、加湿水による加湿フィルタの汚染を防止することができる。
【００３５】
第９に、本体と前面パネルとをヒンジブリッジがヒンジ結合させると共に、ケーブルハーネスを収容した後、本体に案内することによって、ケーブルハーネスを案内する構造と前面パネルと本体とをヒンジ結合させる構造が同時に具現できるようになって、作業工数が低減され、組立が容易になる。
【００３６】
第１０に、ハーネスカバーが開口されたケーブルハーネス露出部を遮蔽して、前面パネルの開放時に外観を美麗にすると共に、ケーブルハーネスを保護してケーブルハーネスの破損を防止する。
【００３７】
第１１に、ケーブルハーネスがハーネスカバーに遮蔽されると共に、ハーネスカバーの一端を貫通した後、直ぐに本体の開口部を貫通して本体と連結されることによって、ケーブルハーネスが外部に露出する部分を最小化して、外観を美麗にすると共に、ケーブルハーネスを保護するようになる。
【００３８】
本発明の効果は、前述した効果に制限されず、言及されていない更に他の効果は請求範囲の記載から当業者が明確に理解することができる。
【図面の簡単な説明】
【００３９】
【図１】本発明の一実施形態に係る空気調和機の斜視図である。
【図２】本発明の一実施形態に係る空気調和機の分解斜視図である。
【図３】加湿ギアアセンブリが本体に結合されたものを示す図である。
【図４】図３に図示されたロテータと加湿ギアアセンブリの平面図である。
【図５】加湿ギアの内部構造を示す斜視図である。
【図６】加湿ギアボディの中央部と加湿ギアカバーの中央部を示す斜視図である。
【図７】加湿ギアボディの周縁部と加湿ギアカバーの周縁部を示す斜視図である。
【図８】図５に図示されたＡ−Ａ’線の断面図である。
【図９】前面パネルが開放された状態を示す図である。
【図１０】本発明の一実施形態に係る前面パネルの背面を示す図である。
【図１１】本発明の一実施形態に係るヒンジ結合部を示す図である。
【図１２】図３に開示された本体の分解斜視図である。
【図１３】図１２に図示されたリアケースとフロントケースと上部デコとが結合される時の断面図である。
【発明を実施するための形態】
【００４０】
本発明の利点及び特徴、そしてそれらを達成する方法は、添付する図面と共に詳細に後述する実施形態を参照すると明確になる。しかしながら、本発明は以下に開示される実施形態に限定されるものでなく、互いに異なる多様な形態に具現できる。但し、本実施形態は本発明の開示を完全にし、本発明が属する技術分野で通常の知識を有する者に発明の範疇を完全に知らせるために提供されるものであり、本発明は請求項の範疇により定義されるだけである。明細書の全体に亘って同一な参照符号は同一な構成要素を指し示す。
【００４１】
以下、本発明と関連した空気調和機について、図面を参照しつつより詳細に説明する。以下の説明で使われる構成要素に対する接尾辞“モジュール”及び“部”は、明細書作成の容易性のみ考慮されて付与されるか、混用されるものであって、それ自体で互いに区別される意味または役割を有するものではない。
【００４２】
図１は本発明の一実施形態に係る空気調和機の斜視図であり、図２は本発明の一実施形態に係る空気調和機の分解斜視図である。
【００４３】
図１乃至図２を参照すると、本発明の一実施形態に係る空気調和機は、空気を循環させる送風ファン１３０が備えられた本体１００と、本体１００の前面に備えられる前面パネル３００と、本体１００に脱着可能に備えられる加湿ギアアセンブリ２００とを含む。
【００４４】
前面パネル３００は、本体１００の一側と開放可能に結合される。前面パネル３００の一側は、本体１００にヒンジ結合されるものが好ましい。前面パネル３００と本体１００とが回動可能に結合されるようにするヒンジ結合部Ａについては後述する。前面パネル３００が本体１００から開放されれば、前面パネル３００の一側に備えられるフィルタ組立体３２０が外部に露出する。
【００４５】
フィルタ組立体３２０は循環する空気の汚染物質を除去する。フィルタ組立体３２０は前面パネル３００の一側に脱着可能に備えられる。フィルタ組立体３２０は、前面パネル３００と本体１００との間に配置され、前面パネル３００が本体１００を閉じれば、フィルタ組立体３２０が遮蔽される。
【００４６】
前面パネル３００が本体１００を閉じた後、前面パネル３００と本体１００との間の一部は離隔して隙間を形成する。この隙間は、後述する送風ファン１３０が回転して空気を循環させる時、空気を吸収する空気吸入口１２を形成する。
【００４７】
前面パネル３００の前面には、ユーザが認知することができる視覚的な情報を表示するディスプレイ部３１０が備えられる。ディスプレイ部３１０は、前面パネル３００に露出するか、前面パネル３００とフィルタ組立体３２０との間に備えられる。ディスプレイ部３１０は、視覚的な情報をユーザに表示し、前面パネル３００に直接表示したり、前面パネル３００を透過して表示したりすることができる。ディスプレイ部３１０の視覚的な情報が前面パネル３００を透過して表示される場合には、前面パネル３００の材質が半透明な材質で形成される。
【００４８】
本体１００は、空気調和機の外観を形成し、内部に各種の構成要素が収容される。本体１００は、外観を形成するハウジング１１０と、ハウジング１１０に挿入される内部ケース１２０とを含んで構成される。
【００４９】
ハウジング１１０には、内部ケース１２０が収容され、後述する加湿ギアアセンブリ２００が収容される。ハウジング１１０の一側には、後述する送風ファン１３０により空気吸入口１２に吸入された空気が吐出される空気吐出口１１が形成される。空気吐出口１１はハウジング１１０の背面に形成される。また、加湿ギアアセンブリ２００が結合できるようにトレー挿入ホール１１１がハウジング１１０の一側面に開口されて形成される。
【００５０】
内部ケース１２０には送風ファン１３０が回転可能に備えられる。送風ファン１３０は、送風ファン駆動部（図示せず）によって回転させられ、空気吸入口１２から空気を吸入した後、空気吐出口１１に空気を循環させる。送風ファン１３０は、内部ケース１２０の一面に備えられ、フィルタ組立体３２０の反対の面に備えられる。この場合、送風ファン１３０は、空気吸入口１２に吸入された空気がフィルタ組立体３２０を通過するようにする。
【００５１】
送風ファン１３０の回転により吸入された空気はフィルタ組立体３２０により浄化され、浄化された空気は、後述する加湿フィルタ２８０を経た後、内部ケース１２０に開口されて形成された空気循環ホール１４０を通じて送風ファン１３０に至り、送風ファン１３０に至った空気は空気吐出口１１に吐出される。
【００５２】
内部ケース１２０にはロテータ１５０が回転可能に備えられる。ロテータ１５０は、ロテータ１５０の駆動部（図示せず）により回転し、加湿ギアアセンブリ２００が本体１００に結合される時、後述するリフタ（図３の２９０）と接続される。ロテータ１５０は、ユーザが加湿をしようとする場合のみに回転させることができるように制御できる。ロテータ１５０の一面には、ロテータ１５０の回転時、ロテータ１５０を遮蔽してロテータ１５０の破損を防止するロテータプロテクタ１６０が備えられる。
【００５３】
加湿ギアアセンブリ２００は、内部に加湿水が一定高さに貯水され、本体１００に脱着可能に備えられるトレー２２０と、周りにロテータ１５０と係合されるリフタ２９０が形成され、トレー２２０に回転可能に備えられてロテータ１５０の回転力の伝達を受けて回転する加湿ギアモジュールとを含む。
【００５４】
トレー２２０は加湿水を収容する。トレー２２０は、トレー２２０の一側に結合される水タンク２４０から加湿水の供給を受けて、一定高さに加湿水が貯水されるようにする。トレー２２０の一側に備えられる水タンク２４０は、トレー２２０に脱着可能に備えられる。水タンク２４０の一側には、外観を形成し、水タンク２４０を遮蔽する水タンクカバー２５０が備えられる。
【００５５】
水タンク２４０がトレー２２０に結合される時、水タンク２４０はトレー２２０に形成された水タンク収容部２６０に結合される。水タンク収容部２６０には、フロート２３０が備えられて水タンク２４０とフロート２３０とが締結され、水タンク２４０の水がフロート２３０を通じてトレー２２０に供給されて加湿水としてトレー２２０に貯水されるようにする。
【００５６】
フロート２３０は、水タンク２４０と締結された後、水タンク２４０から供給される加湿水が特定の高さに到達すれば、これ以上水が貯水されないように水タンク２４０から供給される加湿水を遮断する。この際、加湿水が最大に貯水される特定の高さを最高貯水高さ（ｈ）と定義し、最高貯水高さ（ｈ）で加湿水の貯水高さはトレー２２０の底面から加湿水の水面までと定義する。
【００５７】
トレー２２０の一側には加湿ギア２１０が回転可能に備えられる。加湿ギア２１０はトレー２２０と脱着可能に備えられる。加湿ギア２１０と水タンク２４０との間には、加湿ギア２１０と水タンク２４０との間を分離させる分離膜２７０が備えられる。
【００５８】
加湿ギアモジュールは、トレー２２０に回転可能に備えられ、ロテータ１５０の回転力の伝達を受けて回転する加湿ギア２１０と、加湿ギア２１０の周りに備えられるリフタ２９０と、加湿ギア２１０の内部に備えられる加湿フィルタ（図４の２８０）とを含む。加湿ギアモジュールを構成する加湿ギア２１０とリフタ２９０と加湿フィルタ２８０とは、一体形成され、それぞれ分離される別途の構成で実現されることもできる。以下、加湿ギア２１０にリフタ２９０が形成され、加湿ギア２１０と加湿フィルタ２８０とが別途の構成で実現されることとして説明するが、これに加湿ギアモジュールの実施形態が限定されるものではない。
【００５９】
加湿ギア２１０は、周りにリフタ２９０が備えられ、加湿ギアアセンブリ２００が本体１００に付着されて結合される時、ロテータ１５０と係合される。ロテータ１５０が回転すれば、ロテータ１５０がリフタ２９０を回転させて加湿ギア２１０が回転する。
【００６０】
図３は加湿ギアアセンブリ２００が本体１００に結合されたものを示す図であり、図４は図３に図示されたロテータ１５０と加湿ギアアセンブリ２００の平面図である。
【００６１】
図３乃至図４を参照すると、本発明の一実施形態に係る空気調和機は、本体１００の一側に回転可能に備えられるロテータ１５０と、内部に加湿水が一定高さに貯水されるトレー２２０と、トレー２２０に回転可能に備えられ、ロテータ１５０の回転力の伝達を受けて回転する加湿ギア２１０と、加湿ギア２１０の周りに備えられ、トレー２２０が本体１００に付着される時、ロテータ１５０と係合され、一部が加湿水に浸水されてロテータ１５０の回転時、加湿水を汲み上げるリフタ２９０、及び加湿ギア２１０の内部に備えられ、加湿水と離隔して配置されて加湿ギア２１０が回転する時、リフタ２９０から加湿水の供給を受ける加湿フィルタ２８０を含む。
【００６２】
ロテータ１５０は、本体１００の内部ケース１２０に回転可能に備えられ、ユーザが加湿をしようとする場合に回転する。ロテータ１５０は、加湿ギアアセンブリ２００が本体１００に結合されれば、加湿ギア２１０の周りに備えられたリフタ２９０と係合される。ロテータ１５０の周りには歯形が突出して形成され、ロテータ１５０に係合される加湿ギア２１０のリフタ２９０は、ロテータ１５０の歯形に対応する歯形に形成される。
【００６３】
加湿ギアアセンブリ２００が本体１００に付着される時、加湿ギア２１０とロテータ１５０とが係合される。この場合、リフタ２９０は、ロテータ１５０の外面に形成された歯形に対応して形成されなければ、加湿ギア２１０とロテータ１５０との係合が可能でない。リフタ２９０は、ロテータ１５０と加湿ギア２１０とが係合されるように、ロテータ１５０の歯形に対応するサイズと間隔を有する形状に形成される。リフタ２９０はロテータ１５０とギア結合により係合できる。
【００６４】
加湿ギア２１０は、トレー２２０に回転可能に備えられ、トレー２２０と脱着可能に備えられる。加湿ギア２１０は、トレー２２０から突出して形成される加湿ギア支持部２２１に脱着可能に備えられる。
【００６５】
リフタ２９０は一部が加湿水に浸水されて配置される。加湿水の貯水高さはフロート２３０により制御される。最高貯水高さ（ｈ）で、加湿ギア２１０の周りに備えられるリフタ２９０の一部は、加湿水に浸水された状態で配置される。この状態で、ロテータ１５０が回転すれば、ロテータ１５０に係合されたリフタ２９０と加湿ギア２１０がロテータ１５０の回転力の伝達を受けて回転し、加湿水に浸水されたリフタ２９０はロテータ１５０の回転力の伝達を受けて加湿水を汲み上げる。
【００６６】
加湿フィルタ２８０は加湿ギア２１０の内部に備えられる。加湿フィルタ２８０には、加湿ギア２１０の回転時、リフタ２９０により汲み上げられた加湿水が供給され、供給された加湿水が加湿フィルタ２８０を濡らす。
【００６７】
加湿ギア２１０が回転して加湿フィルタ２８０が回転する状態で、送風ファン１３０の回転によりフィルタ組立体３２０を通過して浄化された空気が加湿フィルタ２８０を通過する。加湿フィルタ２８０を通過した空気は、加湿フィルタ２８０が含有する加湿水が供給されて湿度が高まった状態に変化させられて加湿された空気を形成し、加湿された空気は、送風ファン１３０の回転により空気吐出口１１に吐出されて外部の空気を加湿させる。
【００６８】
加湿フィルタ２８０は、貯水された加湿水と一定高さ（Ｇ）だけ離隔して配置される。即ち、トレー２２０の底面から加湿フィルタ２８０までの高さは、加湿水の最高貯水高さ（ｈ）より高い位置に配置される。加湿フィルタ２８０がトレー２２０に貯水された加湿水に浸水された状態で空気調和機が作動されれば、加湿フィルタ２８０が汚染される問題が発生するので、本発明の一実施形態に係る加湿フィルタ２８０は、加湿水に浸水されないように加湿水の最高貯水高さ（ｈ）より高い位置に一定高さ（Ｇ）だけ離隔して配置される。
【００６９】
加湿フィルタ２８０は、加湿ギア２１０が回転する時のみにリフタ２９０から加湿水の供給を受ける。即ち、加湿フィルタ２８０は、トレー２２０に貯水された加湿水と離隔して配置されて、加湿水が最高貯水高さ（ｈ）を形成する場合にも加湿水と接触しないので、トレー２２０から直接加湿されない。
【００７０】
加湿フィルタ２８０は、加湿ギア２１０が回転する場合のみに加湿水が供給される。リフタ２９０によって汲み上げられた加湿水は、加湿ギア２１０が所定角度回転すれば、地面と傾斜をなして加湿フィルタ２８０に落下して供給される。加湿フィルタ２８０がトレー２２０の加湿水に浸水されないように配置されるので、加湿水に浸水された状態で加湿フィルタ２８０が配置されることによって、加湿フィルタ２８０に細菌やかびが繁殖して加湿フィルタ２８０を汚染させる問題を解決することができる。
【００７１】
また、ユーザが加湿を希望しないでロテータ１５０が回転しない場合には、加湿ギア２１０が停止する。加湿ギア２１０が停止すれば、リフタ２９０が加湿水を汲み上げないようになって、加湿フィルタ２８０への加湿水の供給が中止される。加湿のための作動をしない状態で送風ファン１３０が作動すれば、送風ファン１３０の作動によりフィルタ組立体３２０を通過して浄化され、乾燥している空気が加湿フィルタ２８０を通過するようになる。
【００７２】
この際、加湿水が残っている加湿フィルタ２８０は、送風ファン１３０により循環する乾燥している空気により乾燥できるようになって、残存した加湿水により加湿フィルタ２８０に細菌が繁殖して汚染されることを防止することができる。
【００７３】
加湿ギアアセンブリ２００または内部ケース１２０には、ウォータープラズマ装置（図示せず）が備えられる。以下、ウォータープラズマ装置は内部ケース１２０の一側に備えられることとして説明するが、これに実施形態が限定されるものではない。ウォータープラズマ装置はトレー２２０に貯水された加湿水に接触される。ウォータープラズマ装置は、電源の供給を受けてトレー２２０に貯水された加湿水を殺菌する機能を実行する。
【００７４】
図５は加湿ギア２１０の内部構造を示す斜視図であり、図６は加湿ギアボディ２１１の中央部２１１−１と加湿ギアカバー２１３の中央部２１３−１を示し、図７は加湿ギアボディ２１１の周縁部と加湿ギアカバー２１３の周縁部を示す。
【００７５】
図５乃至図７を参照すると、本発明の一実施形態に係る加湿ギア２１０は、実施形態によって２つ以上の複数個の構成要素で形成され、内部に加湿フィルタ２８０を収容する。加湿フィルタ２８０の直径は加湿ギア２１０の直径より小さく形成されて、加湿ギア２１０の内部に収容される。加湿フィルタ２８０が加湿ギア２１０の直径より小さく形成されることによって、加湿ギア２１０が加湿水に浸漬されても加湿フィルタ２８０は加湿水から離隔して配置されて、加湿フィルタ２８０の乾燥状態を維持することができる。
【００７６】
加湿フィルタ２８０は、加湿水を含有した後、送風ファン１３０で循環する空気に加湿水を供給できるように、蒸発と吸湿が可能な材質で形成され、好ましくは、テキスタイル材質で形成される。また、他の実施形態によって多様な合成樹脂で形成されることもできる。
【００７７】
加湿ギア２１０は、加湿フィルタ２８０が脱去できるように、加湿ギア２１０を構成する構成要素が分離可能に形成される。加湿ギア２１０が分離可能に形成されることによって、内部に収容された加湿フィルタ２８０の脱去が可能であるので、加湿フィルタ２８０の汚染や毀損時に新たな加湿フィルタ２８０に取り替えることができる。
【００７８】
加湿ギア２１０を構成する本発明の一実施形態において、加湿ギア２１０は、リフタ２９０が形成され、内部に加湿フィルタ２８０が収容される加湿ギアボディ２１１、及び加湿ギアボディ２１１に脱着可能に結合されて加湿ギアボディ２１１に収容された加湿フィルタ２８０を固定させる加湿ギアカバー２１３を含む。
【００７９】
加湿ギアボディ２１１は、加湿ギア２１０の胴体を形成し、周りに沿ってリフタ２９０が備えられる。リフタ２９０は、実施形態によって加湿ギアボディ２１１と一体形成される。また、加湿ギアボディ２１１の周りに結合されるように別途に備えられる。以下、リフタ２９０が加湿ギアボディ２１１の周りに突出して形成されることとして説明するが、これに実施形態が限定されるものではない。
【００８０】
加湿ギアボディ２１１は、内部に加湿フィルタ２８０が収容される。加湿ギアボディ２１１は、加湿フィルタ２８０を収容するように内部が凹状の収容部が形成される。加湿フィルタ２８０は、加湿ギア２１０の内部に収容されて加湿ギアボディ２１１と脱着可能に備えられる。
【００８１】
加湿ギアカバー２１３は、加湿ギアボディ２１１と脱着可能に結合される。加湿ギアカバー２１３は、加湿ギアボディ２１１に収容された加湿フィルタ２８０の一面を支持するように加湿ギアボディ２１１の一側に結合される。加湿ギアカバー２１３が加湿ギアボディ２１１から脱去されれば、加湿ギアボディ２１１に収容された加湿フィルタ２８０が露出する。加湿ギアカバー２１３を完全に脱去させた後、加湿フィルタ２８０を加湿ギアボディ２１１から分離させて、加湿フィルタ２８０の取替えが可能になる。
【００８２】
加湿ギアボディ２１１または加湿ギアカバー２１３のうち、いずれか１つには結合溝２１１−５が開口されて形成され、他の１つには結合溝２１１−５に脱着可能に嵌合する結合突起２１３−２が形成される。以下、加湿ギアボディ２１１に結合溝２１１−５が開口されて形成され、加湿ギアカバー２１３に結合突起２１３−２が形成されることとして説明するが、これに結合溝２１１−５及び結合突起２１３−２の形成位置が限定されるものではない。結合溝２１１−５に結合突起２１３−２が結合されれば、加湿ギアカバー２１３と加湿ギアボディ２１１とが結合されて、内部に収容された加湿フィルタ２８０を固定させる。
【００８３】
結合溝２１１−５は加湿ギアボディ２１１の中央部２１１−１に形成される。実施形態によって結合突起２１３−２が加湿ギアボディ２１１に形成される場合には、加湿ギアカバー２１３の中央部２１３−１に結合溝２１１−５が形成される。以下、結合溝２１１−５が加湿ギアボディ２１１の中央部２１１−１に形成され、結合突起２１３−２が加湿ギアカバー２１３の中央部２１３−１に形成されることとして説明するが、これに実施形態が限定されるものではない。結合溝２１１−５に結合突起２１３−２が結合されれば、加湿ギアボディ２１１の中央部２１１−１と加湿ギアカバー２１３の中央部２１３−１とが結合されて加湿フィルタ２８０を固定させる。
【００８４】
結合突起２１３−２は、結合溝２１１−５に挿入された後、回転して結合溝２１１−５の一側に形成された結合固定溝２１１−７に固定される。即ち、加湿ギアカバー２１３の中央部２１３−１と加湿ギアボディ２１１の中央部２１１−１とが対応した状態で、結合突起２１３−２が結合溝２１１−５に挿入される。また、挿入された結合突起２１３−２は、加湿ギアカバー２１３が回転するにつれて結合溝２１１−５で回転して、結合溝２１１−５の一側に凹状に形成された結合固定溝２１１−７に結合される。結合突起２１３−２が最終的に結合固定溝２１１−７に固定されることによって、加湿ギアボディ２１１と加湿ギアカバー２１３とが強固に固定される。
【００８５】
加湿ギアボディ２１１の周縁部と加湿ギアカバー２１３の周縁部とは脱着可能に結合される。加湿ギアカバー２１３と加湿ギアボディ２１１との結合時、加湿ギアボディ２１１の内側の周縁部と加湿ギアカバー２１３の周縁部とが結合される。この場合、一次的に加湿ギアカバー２１３の中央部２１３−１と加湿ギアボディ２１１の中央部２１１−１とが結合突起２１３−２及び結合溝２１１−５により結合され、２次的に加湿ギアカバー２１３の周縁部と加湿ギアボディ２１１の周縁部とが結合される。加湿ギアボディ２１１の周縁部と加湿ギアカバー２１３の周縁部とが結合突起２１３−２と結合溝２１１−５との結合を補助して２次的に結合されることによって、加湿ギアカバー２１３と加湿ギアボディ２１１との結合がより強固になる。
【００８６】
加湿ギアボディ２１１の周縁部と加湿ギアボディ２１１の周縁部とが脱着可能に結合される実施形態は多様に実現することができる。以下、加湿ギアボディ２１１の周縁部または加湿ギアカバー２１３の周縁部のうち、いずれか１つにはスライディング挿入溝２１１−３が開口されて形成され、他の１つには上記スライディング挿入溝２１１−３に挿入されるスライディング挿入部２１３−３が形成されて、加湿ギアボディ２１１の周縁部と加湿ギアカバー２１３の周縁部とが脱着可能に結合されることとして説明するが、これに実施形態が限定されるものではない。
【００８７】
スライディング挿入溝２１１−３は、加湿ギアカバー２１３の周縁部または加湿ギアボディ２１１の周縁部のうち、いずれか１つに開口されて形成される。以下、スライディング挿入溝２１１−３が加湿ギアボディ２１１の周縁部に開口されて形成されることとして説明するが、これに実施形態が限定されるものではない。スライディング挿入溝２１１−３には、スライディング挿入部２１３−３が挿入される。スライディング挿入溝２１１−３は、加湿ギアボディ２１１の周りに沿って離隔して部分的に形成される。
【００８８】
スライディング挿入部２１３−３は、前述した実施形態によって、加湿ギアカバー２１３の周縁部に形成される。スライディング挿入部２１３−３は、加湿ギアカバー２１３の周縁部に部分的に形成されて、複数個が形成される。スライディング挿入部２１３−３は、スライディング挿入溝２１１−３と対応する位置に形成される。
【００８９】
スライディング挿入溝２１１−３とスライディング挿入部２１３−３との結合関係を説明すると、結合溝２１１−５に結合突起２１３−２が挿入される時、スライディング挿入部２１３−３がスライディング挿入溝２１１−３に挿入される。即ち、結合溝２１１−５とスライディング挿入溝２１１−３は、各々結合突起２１３−２とスライディング挿入部２１３−３が同時に挿入できるように対応して形成される。
【００９０】
結合突起２１３−２が結合固定溝２１１−７に固定される時、スライディング挿入部２１３−３がスライディング挿入溝２１１−３でスライディングする。結合突起２１３−２とスライディング挿入部２１３−３が各々結合溝２１１−５とスライディング挿入溝２１１−３に挿入された状態で、加湿ギアカバー２１３が加湿ギアボディ２１１に対して回転すれば、結合突起２１３−２は結合固定溝２１１−７に結合される。これと共に、スライディング挿入部２１３−３は、スライディング挿入溝２１１−３の一側に形成されたスライディング結合溝２１１−４に結合される。スライディング結合溝２１１−４は、加湿ギアボディ２１１の周縁部の内側にスライディング挿入部２１３−３が固定可能に形成される。
【００９１】
結合突起２１３−２が結合固定溝２１１−７に一次的に結合されて加湿ギアカバー２１３と加湿ギアボディ２１１が固定され、スライディング挿入部２１３−３がスライディング結合溝２１１−４に２次的に結合されて、加湿ギアボディ２１１と加湿ギアカバー２１３が強固に固定できるようになり、加湿フィルタ２８０の取替えが容易になる。
【００９２】
加湿ギアボディ２１１及び／または加湿ギアカバー２１３には、複数個の開口部２１１−９が形成されて空気が循環するようにする。ロテータ１５０が回転して加湿ギア２１０が回転する時、送風ファン１３０により加湿ギア２１０と加湿フィルタ２８０を空気が通過できるように、加湿ギアボディ２１１及び／または加湿ギアカバー２１３には、複数個の開口部２１１−９が形成される。開口部２１１−９を通過した空気は、加湿フィルタ２８０を経て、加湿フィルタ２８０から供給した加湿水により加湿された空気に変化させられて、室内にまた流入できるようになる。
【００９３】
図８は、図５に図示されたＡ−Ａ’線の断面図である。
【００９４】
図５及び図８を参照すると、リフタ２９０は前述したように、加湿ギア２１０の周りに備えられ、加湿水を汲み上げることができるように凹部２９１が形成される。加湿ギア２１０が回転すれば、加湿水に浸漬されたリフタ２９０が回転し、リフタ２９０の凹部２９１が加湿水を汲み上げる。汲み上げられた加湿水は、加湿ギア２１０が所定角度回転すれば、地面となす傾斜により加湿フィルタ２８０に流れて供給される。
【００９５】
凹部２９１の一面には、汲み上げられた加湿水が加湿フィルタ２８０に供給されるように開口されて形成されたドレーンホール２９２が形成される。ドレーンホール２９２は、加湿ギアボディ２１１を貫通して形成され、実施形態によって加湿ギアボディ２１１の周りのうち、凹部２９１が形成された位置に対応して形成される。
【００９６】
凹部２９１に汲み上げられた加湿水は、加湿ギア２１０が所定角度回転すれば、ドレーンホール２９２を通じて流れて、加湿ギア２１０の内部に備えられた加湿フィルタ２８０に移動される。加湿ギア２１０が回転する時のみにリフタ２９０の凹部２９１により汲み上げられた加湿水がドレーンホール２９２を通じて加湿フィルタ２８０に流れ込むようになる。
【００９７】
加湿ギア２１０に形成されたドレーンホール２９２により加湿フィルタ２８０が加湿ギア２１０の回転時のみに加湿水の供給を受けることができるようになって、加湿フィルタ２８０が加湿水に浸漬される必要がなくなるので、加湿水による加湿フィルタ２８０の汚染を防止することができる。
【００９８】
図９は前面パネル３００が開放された状態を示す図であり、図１０は本発明の一実施形態に係る前面パネル３００の背面を示す図であり、図１１はヒンジ結合部Ａを示す図である。
【００９９】
図９乃至図１１を参照すると、本体１００と前面パネル３００とは、ヒンジ結合部Ａにより回動可能に結合される。ヒンジ結合部Ａは、実施形態によって、本体１００の下側と前面パネル３００の下側とがヒンジ結合されるようにする。ヒンジ結合部Ａは、図９に表示されたＡ部分であって、複数の位置に形成される。前面パネル３００が前方に開放されれば、ヒンジ結合部Ａにより前面パネル３００の下側と本体１００の下側との結合は維持され、前面パネル３００の背面に備えられたフィルタ組立体３２０と本体１００の内部が露出する。
【０１００】
図１０乃至図１１に図示された本発明の一実施形態に係るヒンジ結合部Ａは、本体１００の一側に形成された開口部１０１、及び前面パネル３００の一側に回動可能に備えられ、前面パネル３００と本体１００に連結されるケーブルハーネス３６０を収容し、開口部１０１に挿入された後、上記本体１００に結合されて、本体１００と前面パネル３００とを回動可能に結合させる結合ブリッジ３５０を含む。
【０１０１】
本体１００の一側には開口部１０１が形成される。開口部１０１は、後述する結合ブリッジ３５０が挿入され、後述するケーブルハーネス３６０が貫通するように本体１００と連結される通路を形成する。開口部１０１は、結合ブリッジ３５０が挿入されるように形成され、本体１００の下側に形成される。
【０１０２】
結合ブリッジ３５０は、前面パネル３００の一側に回動可能に備えられる。この場合、結合ブリッジ３５０は、前面パネル３００の一側と本体１００とが回動可能に結合されるようにし、一実施形態としてヒンジ結合されるようにすることができる。結合ブリッジ３５０は、前面パネル３００の一側とヒンジ結合された状態で本体１００の開口部１０１に挿入固定される。この場合、本体１００に固定された結合ブリッジ３５０と前面パネル３００とのヒンジ結合により、本体１００から前面パネル３００が開放可能にヒンジ結合できるようになる。
【０１０３】
結合ブリッジ３５０は、実施形態によって前面パネル３００の下側のうちの一側に備えられる。また、前面パネル３００の下側のうち、複数個の位置に備えられる。以下、結合ブリッジ３５０は前面パネル３００の下側のうちの一側に備えられることとして説明するが、これに実施形態が限定されるものではない。
【０１０４】
ケーブルハーネス（cable harness）３６０は、ディスプレイ部３１０及び／または前面パネル３００に備えられる電子部品を本体１００に備えられた電子部品と電気的に連結して接続させる。ケーブルハーネス３６０は、複数個の電線で形成される。
【０１０５】
結合ブリッジ３５０は、前面パネル３００と本体１００とを電気的に連結させるケーブルハーネス３６０を収容する。結合ブリッジ３５０は、ケーブルハーネス３６０を収容して覆いかぶせるように内部が空いている柱で形成される。
【０１０６】
結合ブリッジ３５０は、本体１００に形成された開口部１０１に挿入された後、開口部１０１の隣接周囲に固定されて本体１００に固定される。結合ブリッジ３５０が本体１００に結合して固定されれば、結合ブリッジ３５０とヒンジ結合された前面パネル３００が本体１００から開放可能に結合される。
【０１０７】
結合ブリッジ３５０は、ケーブルハーネス３６０を本体１００に案内する。結合ブリッジ３５０に収容されたケーブルハーネス３６０は、結合ブリッジ３５０が本体１００に結合されれば、結合ブリッジ３５０に沿って本体１００に案内されて、本体１００に備えられる電子部品に連結される。
【０１０８】
本体１００と前面パネル３００とを結合ブリッジ３５０がヒンジ結合させると共に、ケーブルハーネス３６０を収容した後、本体１００に案内することによって、ケーブルハーネス３６０を案内する構造と前面パネル３００と本体１００とをヒンジ結合させる構造が同時に具現できるようになり、作業工数が低減され、組立が容易になる。
【０１０９】
前面パネル３００の一側には、ケーブルハーネス３６０が外部に露出しないようにケーブルハーネス３６０を遮蔽するハーネスカバー３３０が備えられる。前面パネル３００の一側には、ケーブルハーネス３６０を結合ブリッジ３５０に案内するように、作業者がケーブルハーネス３６０に接近できるケーブルハーネス露出部（図示せず）が開口されて形成される。作業者は、開口されたケーブルハーネス露出部を通じてケーブルハーネス３６０を作業して、結合ブリッジ３５０に案内する。
【０１１０】
ハーネスカバー３３０は、ケーブルハーネス３６０が外部に露出しないようにケーブルハーネス３６０を遮蔽する。ハーネスカバー３３０は、開口されたケーブルハーネス露出部を遮蔽して、前面パネル３００の開放時に外観を美麗にする。また、ケーブルハーネス３６０を保護してケーブルハーネス３６０の破損を防止する。
【０１１１】
ハーネスカバー３３０は、結合ブリッジ３５０と隣接して配置される。結合ブリッジ３５０に収容されるケーブルハーネス３６０は、前面パネル３００の内側またはディスプレイ部３１０から始まって結合ブリッジ３５０に抜け出て本体１００と連結され、この場合、結合ブリッジ３５０に抜け出る前にハーネスカバー３３０側を経由して結合ブリッジ３５０に収容される。ハーネスカバー３３０は、結合ブリッジ３５０に隣接して配置されて、ケーブルハーネス３６０がハーネスカバー３３０を経由した後、直ぐに結合ブリッジ３５０に案内されるようにする。
【０１１２】
ハーネスカバー３３０の端部には、ケーブルハーネス３６０が貫通するように開口されて形成されたハーネスカバー連結ホール３４０が形成される。ハーネスカバー連結ホール３４０をケーブルハーネス３６０が貫通し、貫通したケーブルハーネス３６０は、直ぐに結合ブリッジ３５０に案内される。ケーブルハーネス３６０は、ハーネスカバー連結ホール３４０を貫通した後、本体１００に形成された開口部１０１を貫通して本体１００に連結される。
【０１１３】
ケーブルハーネス３６０がハーネスカバー３３０に遮蔽されると共に、ハーネスカバー３３０の一端を貫通した後、直ぐに本体１００の開口部１０１を貫通して本体１００と連結されることによって、ケーブルハーネス３６０が外部に露出する部分を最小化して、外観を美麗にすると共に、ケーブルハーネス３６０を保護する。
【０１１４】
前面パネル３００の一側には、結合ブリッジ３５０と隣接して形成され、ケーブルハーネス３６０を案内するケーブルハーネス案内部３７０が延びて形成される。ケーブルハーネス案内部３７０は、前面パネル３００の下側に形成され、結合ブリッジ３５０に隣接するように結合ブリッジ３５０に向けて前面パネル３００の一側から延びて形成される。ケーブルハーネス案内部３７０は、内部にケーブルハーネス３６０を収容して結合ブリッジ３５０に案内する。
【０１１５】
結合ブリッジ３５０は、ケーブルハーネス案内部３７０の一側とヒンジ結合される。ケーブルハーネス案内部３７０は、前面パネル３００の下側から延びて形成され、延びた部分の一側と結合ブリッジ３５０とが摺動可能にヒンジ結合される。ケーブルハーネス３６０は、ケーブルハーネス案内部３７０と結合ブリッジ３５０に収容された状態で本体１００と結合されて連結される。
【０１１６】
図１２は図３に開示された本体の分解斜視図であり、図１３は図１２に図示されたリアケースとフロントケースと上部デコとが結合される時の断面図である。
【０１１７】
図１２乃至図１３を参照すると、本発明の一実施形態に係る本体１００は、リアケース３０と、リアケース３０の前方に配置されるフロントケース４０と、フロントケース４０の上部に配置される上部デコ５０とを含む。
【０１１８】
リアケース３０は、空気調和機の後方側外観を形成する。リアケース３０の一側には前述した空気吐出ホール１１が形成される。
【０１１９】
フロントケース４０はリアケース３０と共に本体１００を形成し、フロントケース４０の左右のうち、少なくとも一側面に加湿ギアアセンブリ２００が出入するトレー挿入ホール１１１が形成される。
【０１２０】
上部デコ５０は、空気調和機の上面外観を形成し、上板部５１と、上板部５１の前方で折り曲げられた前板部５２とを含む。
【０１２１】
上部デコ５０は、空気調和機の美観を向上させ、フロントケース４０の上部を保護する装飾部材またはカバー部材で実現できる。上部デコ５０には、ユーザが空気調和機を操作する操作部と、空気調和機の運転情報を表示する表示部のうち、少なくとも１つが設置されるコントロールパネルが備えられる。
【０１２２】
上部デコ５０の上板部５１がコントロールパネルの機能を実行する場合、上板部５１の底面に回路基板（図１２の５３）が設置され、回路基板５３に操作部を構成するボタンやロータリースイッチなどが設置され、回路基板５３に表示部を構成するＬＥＤやＬＣＤなどが設置される。
【０１２３】
上部デコ５０は、前板部５２が回路基板５３の前方を遮る高さに形成されて回路基板カバーとして機能することができる。前板部５２は、フロントケース４０の上部前方に配置されてフロントケースカバーとして機能することができ、前板部５２にリアケース３０及びフロントケース４０と締結される締結部が形成されて前板部５２が上部デコマウンタとして機能することができる。
【０１２４】
リアケース３０とフロントケース４０と上部デコ５０とは、締結部材８０により共に締結され、締結部材８０による締結のために締結部が各々形成される。以下、リアケース３０とフロントケース４０と上部デコ５０との締結構造について詳細に説明する。
【０１２５】
締結部材８０は、リアケース３０の後方でリアケース３０に形成されたリア締結部３４と、上部デコ５０に形成されたデコ締結部５５を順次貫通した後、フロントケース４０に形成されたフロント締結部４４に締結可能であり、リアケース３０の後方でリアケース３０に形成されたリア締結部３４と、フロントケース４０に形成されたフロント締結部４４を順次貫通した後、上部デコ５０に形成されたデコ締結部５５に締結可能である。
【０１２６】
締結部材８０は、フロントケース４０の前方で、上部デコ５０に形成されたデコ締結部５５とフロントケース４０に形成されたフロント締結部４４を順次貫通した後、リアケース３０に形成されたリア締結部３４に締結可能であり、フロントケース４０の前方で、フロントケース４０に形成されたフロント締結部４４と上部デコ５０に形成されたデコ締結部５５を順次貫通した後、リアケース３０に形成されたリア締結部３４に締結可能である。
【０１２７】
本体１００は、美観上、空気調和機の前方で締結部材８０ができるだけ見えないように構成されることが好ましいので、締結部材８０がリアケース３０の後方で締結されることが好ましい。
【０１２８】
本体１００は、上部デコ５０に形成されたデコ締結部５５が上部デコ５０の前板部５２に形成され、締結部材８０がリアケース３０の後方でリアケース３０に形成されたリア締結部３４と、上部デコ５０に形成されたデコ締結部５５とを順次貫通した後、フロントケース４０に形成されたフロント締結部４４に締結されることとして説明する。
【０１２９】
締結部材８０は実施形態によってねじ山が形成されたスクリューで実現され、リアケース３０に形成されたリア締結部３４は、締結部材８０の一実施形態に係るスクリューが貫通するリアボスからなることができ、フロントケース４０に形成されたフロント締結部４４は締結部材であるスクリューが締結されるフロントボスからなる。
【０１３０】
即ち、リアケース３０は上部に締結部材８０が貫通するリア締結部３４が形成され、フロントケース４０はリア締結部３４と対向する位置に締結部材８０が締結されるフロント締結部４４が形成され、上部デコ５０は、締結部材８０が貫通する貫通孔５４が形成され、フロント締結部４４が挿入されるデコ締結部５５が形成され、締結部材８０は、リア締結部３４と貫通孔５４を順次貫通した後、フロント締結部４４に締結される。
【０１３１】
リア締結部３４はリアケース３０から前方に突出形成され、フロント締結部４４はフロントケース４０から後方に突出形成され、デコ締結部５５は上部デコ５０の前板部５２の背面から後方に突出形成される。
【０１３２】
デコ締結部５５は、フロント締結部４４の挿入のために下面が開放されたボックス体からなることができる。
【０１３３】
デコ締結部５５は、貫通孔５４が形成され、前板部５２の背面と離隔する後板部５６と、前板部５２の背面と後板部５６の左側とを連結する左側板部５７と、前板部５２の背面と後板部５６の右側とを連結する右側板部５８を含むことができる。
【０１３４】
デコ締結部５５は、前板部５２の背面と後板部５６の上側とを連結する上板部５９をさらに含むことができる。
【０１３５】
一方、フロント締結部４４がフロントケース４０の上端に上側に突出した突出片から後方への突出が可能であり、フロントケース４０の背面から後方への突出が可能であり、強度などを考慮してフロントケース４０の後方に突出することが好ましい。
【０１３６】
フロントケース４０は、フロント締結部４４の左側に左側板部５７を回避する左側回避溝部４６が形成され、フロント締結部４４の右側に右側板部５８を回避する右側回避溝部４８が形成される。
【０１３７】
左側回避溝部４６と右側回避溝部４８は、フロント締結部４４がデコ締結部５５に挿入された位置にある時、前板部５２により遮られる高さに形成されることが好ましい。
【０１３８】
左側回避溝部４６と右側回避溝部４８は、デコ締結部５５のうち、左側板部５７と右側板部５８が左側回避溝部４６と右側回避溝部４８に挿入されて、左側板部５７の下端と右側板部５８の下端が左側回避溝部４６の下端と右側回避溝部４８の下端にかかった時、フロント締結部４４のホールと、デコ締結部５５の貫通孔５４が前後方向に一致する高さに形成されることが好ましい。
【０１３９】
左側回避溝部４６と右側回避溝部４８は、上部デコ５０とフロントケース４０とが締結される時、左側板部５７と右側板部５８が左側回避溝部４６と右側回避溝部４８とに嵌合するように形成されることが好ましい。
【０１４０】
上記のように構成された空気調和機は、リアケース３０とフロントケース４０と上部デコ５０との締結作業時、上部デコ５０をフロントケース４０の上部に位置付けた状態で、上部デコ５０のデコ締結部５５にフロントケース４０のうち、左側回避溝部４６と右側回避溝部４８との間４９、及びフロント締結部４４が挿入されるようにする。
【０１４１】
上記のような挿入時、デコ締結部５５の左側板部５７はフロントケース４０の左側回避溝部４６に挿入されて嵌合され、デコ締結部５５の右側板部５８はフロントケース４０の右側回避溝部４８に挿入されて嵌合される。
【０１４２】
デコ締結部５５の貫通孔５４とフロント締結部４４のホールは前後方向に一致し、フロントケース４０と上部デコ５０はデコ締結部５５がフロントケース４０に嵌合することによって仮に組み立てられる。
【０１４３】
以後、作業者は、フロントケース４０と上部デコ５０の組立体をリアケース３０の前方に位置付けることができ、リアケース３０の後方で締結部材８０をリア締結部３４のホールに挿入する。締結部材８０の挿入時、締結部材８０は、リア締結部３４のホールを先に貫通した後、デコ締結部５５の貫通孔５４を貫通し、以後、フロント締結部４４のホールに挿入されてフロント締結部４４のホールに締結される。
【０１４４】
上部デコ５０は、上記のような締結時、デコ締結部５５がリア締結部３４とフロント締結部４４との間に位置した状態で、締結部材８０によりリアケース３０及びフロントケース４０と結合され、リアケース３０とフロントケース４０と上部デコ５０とは、簡便で、かつ強固に組み立てられる。
【０１４５】
以上、代表的な実施形態を通じて本発明について詳細に説明したが、本発明が属する技術分野で通常の知識を有する者であれば、上述した実施形態に対し、本発明の範囲を逸脱することなく、多様な変形が可能であることを理解することができる。したがって、本発明の権利範囲は説明された実施形態に限定されて定まってはならず、特許請求範囲だけでなく、この特許請求範囲の均等物により定まるべきである。
【符号の説明】
【０１４６】
１１    空気吐出口
１２    空気吸入口
３０    リアケース
３４    リア締結部
４０    フロントケース
４４    フロント締結部
４６    左側回避溝部
４８    右側回避溝部
５０    上部デコ
５１    上部デコの上板部
５２    前板部
５３    回路基板
５４    貫通孔
５５    デコ締結部
５６    後板部
５７    左側板部
５８    右側板部
５９    デコ締結部の上板部
８０    締結部材
１００    本体
１０１    開口部
１１０    ハウジング
１１１    トレー挿入ホール
１２０    内部ケース
１３０    送風ファン
１４０    空気循環ホール
１５０    ロテータ
１６０    ロテータプロテクタ
２００    加湿ギアアセンブリ
２１０    加湿ギア
２１１    加湿ギアボディ
２１３    加湿ギアカバー
２２０    トレー
２２１    加湿ギア支持部
２３０    フロート
２４０    水タンク
２５０    水タンクカバー
２６０    水タンク収容部
２７０    分離膜
２８０    加湿フィルタ
２９０    リフタ
２９１    凹部
２９２    ドレーンホール
３００    前面パネル
３１０    ディスプレイ部
３２０    フィルタ組立体
３３０    ハーネスカバー
３４０    ハーネスカバー連結ホール
３５０    結合ブリッジ
３６０    ケーブルハーネス
３７０    ケーブルハーネス案内部
【図１】
0005869257.tif 000002
【図２】
0005869257.tif 000003
【図３】
0005869257.tif 000004
【図４】
0005869257.tif 000005
【図５】
0005869257.tif 000006
【図６】
0005869257.tif 000007
【図７】
0005869257.tif 000008
【図８】
0005869257.tif 000009
【図９】
0005869257.tif 000010
【図１０】
0005869257.tif 000011
【図１１】
0005869257.tif 000012
【図１２】
0005869257.tif 000013
【図１３】
0005869257.tif 000014